【手続補正書】
【提出日】平成18年5月22日(2006.5.22)
【手続補正１】
【補正対象書類名】特許請求の範囲
【補正対象項目名】全文
【補正方法】変更
【補正の内容】
【特許請求の範囲】
【請求項１】
ペルフルオロアルキルポリエーテル（ＰＦＰＥ）、フッ素化ポリ（メタ）アクリレート、ポリアルキル（メタ）アクリレート、ポリ（ペルフルオロアルキル）（メタ）アクリレート、ポリ（フルオロアルキル）（メタ）アクリルアミド、ポリオレフィンおよびフッ素化ポリオレフィンから成る群から選択される１もしくは複数のマクロモノマー単位並びに１もしくは複数の荷電単位を含有するポリマーであって、荷電単位の水溶液を含有する重合媒体から形成される該ポリマー。
【請求項２】
重合媒体がフッ素化界面活性剤をさらに含有する請求項１記載のポリマー。
【請求項３】
マクロモノマーがペルフルオロアルキルポリエーテル（ＰＦＰＥ）である請求項１または２記載のポリマー。
【請求項４】
水溶液がＣ１〜Ｃ１２アルカノールおよびＣ１〜Ｃ１２フルオロアルカノールの一方もしくは両方をさらに含有する請求項１から３いずれかに記載のポリマー。
【請求項５】
水溶液がテトラフルオロプロパノールをさらに含有する請求項１から４いずれかに記載のポリマー。
【請求項６】
荷電単位が両性イオン性単位である請求項１から５いずれかに記載のポリマー。
【請求項７】
ペルフルオロアルキルポリエーテル（ＰＦＰＥ）、フッ素化ポリ（メタ）アクリレート、ポリアルキル（メタ）アクリレート、ポリ（ペルフルオロアルキル）（メタ）アクリレート、ポリ（フルオロアルキル）（メタ）アクリレート、ポリオレフィンおよびフッ素化ポリオレフィンから成る群から選択される１もしくは複数のマクロモノマー単位並びに１もしくは複数の荷電単位を含有するポリマーであって、該荷電単位の含有量がポリマーの１２％（ｗ／ｗ）よりも多い該ポリマー。
【請求項８】
マクロモノマーがペルフルオロアルキルポリエーテル（ＰＦＰＥ）である請求項７記載のポリマー。
【請求項９】
荷電単位が両性イオン性単位である請求項７または８記載のポリマー。
【請求項１０】
荷電単位の含有量がポリマーの約２０〜約４９％（ｗ／ｗ）である請求項７から９いずれかに記載のポリマー。
【請求項１１】
ペルフルオロアルキルポリエーテル（ＰＦＰＥ）、フッ素化ポリ（メタ）アクリレート、ポリアルキル（メタ）アクリレート、ポリ（ペルフルオロアルキル）（メタ）アクリレート、ポリ（フルオロアルキル）（メタ）アクリルアミド、ポリオレフィンおよびフッ素化ポリオレフィンから成る群から選択される１もしくは複数のマクロモノマー単位並びに１もしくは複数の荷電単位を含有するポリマーであって、該荷電単位の含有量がポリマーの４８％モルよりも多い該ポリマー。
【請求項１２】
ペルフルオロアルキルポリエーテル（ＰＦＰＥ）、フッ素化ポリ（メタ）アクリレート、ポリアルキル（メタ）アクリレート、ポリ（ペルフルオロアルキル）（メタ）アクリレート、ポリ（フルオロアルキル）（メタ）アクリルアミド、ポリオレフィンおよびフッ素化ポリオレフィンから成る群から選択される１もしくは複数のマクロモノマー単位並びに１もしくは複数の荷電単位の含有量がポリマーの３６％モルよりも多く、またポリマーの１２％（ｗ／ｗ）よりも多い該ポリマー。
【請求項１３】
マクロモノマーがペルフルオロアルキルポリエーテル（ＰＦＰＥ）である請求項１１または１２記載のポリマー。
【請求項１４】
ポリマーが、ＰＦＰＥモノマー単位のエマルションおよび荷電モノマー前駆体の水溶液から形成され、該前駆体が重合後に荷電単位へ転化される請求項１から１３いずれかに記載のポリマー。
【請求項１５】
ＰＦＰＥ単位が次式（４）、（５）または（６）で表される単位を含有する請求項１から１４いずれかに記載のポリマー。
【化１】
2005526156.tif 000001
上式における符号の意義は以下の通りである。
Ｑ；同一または異なる重合性基を示す。
ＰＦＰＥ；次式（１）で表される２価残基を示す：
【化２】
2005526156.tif 000002
［式中、ＣＦ２ＣＦ２Ｏ単位とＣＦ２Ｏ単位は分子鎖を通じてランダムに分布していてもよく、あるいはブロックとして分布していてもよく、ｘとｙは同一または異なっていてもよく。フッ素化ポリエーテルの分子量は２４２〜８０００（好ましくは、２４２〜４０００）であり、該残基は随意に−ＣＦ２ＣＦ２ＣＦ２Ｏ−単位および／または−ＣＦ２ＣＦ２ＣＦ２ＣＦ２Ｏ−単位をさらに含んでいてもよい。］、
Ｌ；２官能性連結基を示す。
ｎ；少なくとも１の数を示す。
Ｂ；同一または異なっていてもよく、２官能性ブロック（分子量：１００〜４０００）を示し、少なくとも１つのＢは前記の式（１）で表される過フッ素化ポリエーテルを示す。
Ｔ；遊離基によって重合しない１価末端基を示し、該末端基は他の官能価を有していてもよい。
Ｍ；１８０〜６０００の分子量を有する２官能性のポリマーまたはコポリマーの残基であって、次式（７）で表されるシリコーン繰返単位を有する：
【化３】
2005526156.tif 000003
（式中、Ｒ１とＲ１’は同一または異なっていてもよく、水素原子、アルキル、アリールおよびハロゲン化アルキルから成る群から選択される基を示す。）。
【請求項１６】
ＱがＣＨ２＝Ｃ(ＣＨ３)−Ｃ(Ｏ)Ｏ−(ＣＨ２)２−ＮＨ−Ｃ(Ｏ)−を示す請求項１５記載のポリマー。
【請求項１７】
荷電単位の前駆体が次式（２ｂ）で表されるイオン性または両性イオン性モノマーである請求項１から１６いずれかに記載のポリマー：
【化４】
2005526156.tif 000004
式中、
（ｉ）可変性の３個の基Ｒ５、Ｒ６およびＲ７のうち２個は水素原子を示し、残りの基は水素原子、カルボキシ、カルボキシメチルまたはＣ１〜Ｃ４アルキルを示すか、または
（ii）Ｒ５とＲ６が隣接炭素原子と共に５員環状〜７員環状の脂環式環または複素環を示し、Ｒ７が水素原子を示すか、または
（iii）Ｒ５とＲ６の各々が水素原子を示し、Ｒ７とＡが隣接炭素原子と共に５員環状〜７員環状の脂環式環または複素環を示すか、または
（iv）Ｒ５とＲ７の各々が水素原子を示し、Ｒ６とＡが隣接炭素原子と共に５員環状〜７員環状の脂環式環または複素環を示し、
Ａは直接結合またはカルボニル、カルボネート、アミド、エステル、ジカルボアンヒドリド、ジカルボイミド、ウレアもしくはウレタン官能基を示し、
Ｚはアニオン性基もしくはカチオン性基を含むか、または１個のアニオン性基と１個のカチオン性基を含む脂肪族部分、脂環式部分もしくは複素環部分を示すか、またはこれらの前駆部分を示す。
【請求項１８】
次式（２１）で表される多官能的に活性化された化合物が結合された請求項１から１７いずれかに記載のポリマー：
【化５】
2005526156.tif 000005
式中、
Ｄは非置換状または１個もしくは複数個のカルボキシ基もしくはカルボキシ誘導基で置換された２価有機残基を示し、
Ｒ１２はカルボキシ誘導基を示し、
Ｒ１３はカルボキシ基、カルボキシ誘導基、イソシアナト基、イソチオシアナト基およびエポキシ基から成る群から選択される反応性基を示す。
【請求項１９】
Ｄが随意に分枝状であってもよいＣ１〜Ｃ１２アルキレン、デンドリマーもしくはスターバストポリマーの残基、ポリエチレングリコールの残基、ポリビニルアルコールの残基または超分枝状ポリエステル樹脂の残基（好ましくは、ポリエチレングリコールの残基）を示す請求項１８記載のポリマー。
【請求項２０】
Ｒ１２とＲ１３がそれぞれ活性化エステル基を示す請求項１８または１９記載のポリマー。
【請求項２１】
Ｄがポリエチレングリコールの残基を示し、Ｒ１２およびＲ１３が次式で表される残基を示す請求項１８記載のポリマー：
【化６】
2005526156.tif 000006
【請求項２２】
１個もしくは複数個の多官能的に活性化された化合物が結合され、該化合物がスクシンイミジルプロピオネート、スクシンイミジルスクシネートまたはスクシンイミジルスクシンイミドでジ置換されたポリエチレングリコールである請求項１から１７いずれかに記載のポリマー。
【請求項２３】
架橋剤をさらに含有する請求項１から２２いずれかに記載のポリマー。
【請求項２４】
架橋剤が、オクタフルオロ−１，６−ヘキサンジオールおよびイソシアンオクトエチルメタクリレートまたはメタクリロイルクロリドとトリエチルアミンとの反応によって形成される請求項２３記載のポリマー。
【請求項２５】
請求項１から２４いずれかに記載のポリマーを接着剤で被覆する方法であって、下記の工程（ａ）〜（ｃ）を含む該方法：
（ａ）ポリマーがその表面上に表面官能基を有さないときには、表面官能基を有する下地を該表面上に付与し、
（ｂ）該表面官能基を、共反応性基を含む天然もしくは合成ポリマーに共有結合的に結合させ、次いで
（ｃ）天然もしくは合成ポリマーの反応性基に対して共反応性の官能基を少なくとも１個有する多官能的に活性化された化合物であって、次式（２１）で表される化合物を共有結合的に結合させる：
【化７】
2005526156.tif 000007
式中、
Ｄは非置換状または１個もしくは複数個のカルボキシ基もしくはカルボキシ誘導基で置換された２価有機残基を示し、
Ｒ１２はカルボキシ誘導基を示し、
Ｒ１３はカルボキシ基、カルボキシ誘導基、イソシアナト基、イソチオシアナト基およびエポキシ基から成る群から選択される反応性基を示す。
【請求項２６】
請求項１から２４いずれかに記載のポリマーを接着剤で被覆する方法であって、下記の工程（ａ）および（ｂ）を含む該方法：
（ａ）ポリマーがその表面上に表面官能基を有さないときには、表面官能基を有する下地を該表面上に付与し、次いで
（ｂ）該表面官能基に対して共反応性の官能基を少なくとも１個有する多官能的に活性化された化合物であって、次式（２１）で表される化合物を共有結合的に結合させる：
【化８】
2005526156.tif 000008
式中、
Ｄは非置換状または１個もしくは複数個のカルボキシ基もしくはカルボキシ誘導基を示し、
Ｒ１２はカルボキシ誘導基を示し、
Ｒ１３はカルボキシ基、カルボキシ誘導基、イソシアナト基、イソチオシアナト基およびエポキシ基から成る群から選択される反応性基を示す。
【請求項２７】
ポリマーが角膜インレー、角膜アンレーまたはレンチキュールである請求項２５または２６記載の方法。
【請求項２８】
請求項２５または２６記載の方法によって形成される生物医用器具。
【請求項２９】
眼科用器具である請求項２８記載の生物医用器具。
【請求項３０】
コンタクトレンズ、眼球内レンズ、角膜インレー、角膜アンレーまたは人工角膜である請求項２９記載の生物医用器具。
【請求項３１】
未反応官能基を有し、実質上無水状態まで脱水された請求項２８から３０いずれかに記載の生物医用器具。
【請求項３２】
ポリマーが少なくとも１つの両性イオン性前駆体を含有する請求項２８から３１いずれかに記載の生物医用器具。
【請求項３３】
請求項３１記載の脱水器具を準備し、該器具を水溶液または純水中に浸漬することによって水和させ、次いで該器具を角膜に接触させることを含む該器具の角膜への装着方法。
【請求項３４】
角膜の上皮細胞層を除去することによって、角膜を器具の装着のために前処理する請求項３３記載の方法。
【請求項３５】
角膜内または角膜上への移植用眼球内レンズとしての請求項１から２４いずれかに記載のポリマーの使用。